【事件の表示】
　特許第２８２７４９７号「電子楽器」の請求項１ないし３に係る特許に対する特許異議の申立てについて、次のとおり決定する。
【結　論】
　訂正を認める。
　特許第２８２７４９７号の請求項１に係る特許を維持する。
【理　由】
I【手続きの経緯】
　特許第２８２７４９７号に係る発明は、平成２年１０月２６日に特許出願され、平成１０年９月１８日にその特許の設定登録がなされ、その後、廣田修一より特許異議の申立てがなされ、取消理由通知がなされ、その指定期間内である平成１１年１２月１５日に訂正請求（後日取下げ）がなされた後、再度の取消理由通知がなされ、その指定期間内である平成１２年４月５日に訂正請求がなされたものである。
II【訂正の適否についての判断】
ア．訂正の内容
　特許権者が求めている訂正の内容は、以下のａ〜ｄのとおりである。
ａ．特許明細書の特許請求の範囲の請求項２及び３に記載の限定を請求項１に付加するとともに、請求項２及び３を削除し、請求項１の記載を次のとおりに訂正する。
「（１）楽曲を構成する演奏情報
、前記楽曲の拍子データ及び前記楽曲のテンポを決定するテンポデータからなる
　外部より楽曲の演奏情報を入力する入力手段と、
　外部より楽曲の進行に関連する演奏制御情報を設定する演奏制御情報設定手段と、
　録音モードと再生モードのいずれか一方のモードを指定するモード指定手段と、
　該モード指定手段により録音モードが指定された際に、前記第１の記憶手段に記憶された演奏情報及び変更情報を、前記演奏制御情報設定手段により設定された演奏制御情報に基づくタイミングで読み出す第１の読み出し手段と、
　該モード指定手段により録音モードが指定された際に、前記入力手段により入力された演奏情報を入力順に記憶するとともに、前記第１の読み出し手段により読み出された変更情報をその読み出されたタイミングにて順次記憶する第２の記憶手段と、
　該モード指定手段により再生モードが指定された際に、前記第２の記憶手段に記憶された情報を、前記演奏制御情報設定手段により設定された演奏制御情報に基づくタイミングで順次読み出す第２の読み出し手段と、
　該第２の読み出し手段により、前記第２の記憶手段から変更情報が読み出されたとき、当該読み出された変更情報に基づいて前記演奏制御情報設定手段により設定された演奏制御情報を修正する演奏情報修正手段と、
　該演奏制御情報設定手段により設定された演奏制御情報及び演奏情報修正手段にて修正された演奏制御情報に基づいて、前記楽曲
進行時の拍数
　少なくとも前記第２の読み出し手段により前記第２の記憶手段から読み出された演奏情報に基づいて楽音を発生する楽音発生手段と、
を備えたことを特徴とする電子楽器。」
ｂ．発明の詳細な説明欄の［課題を解決するための手段］中の「楽曲を構成する演奏情報及び前記楽曲の進行に関連する演奏制御情報を変更する変更情報が予め記憶された第１の記憶手段」を「楽曲を構成する演奏情報
、前記楽曲の拍子データ及び前記楽曲のテンポを決定するテンポデータからなる
ｃ．発明の詳細な説明欄の［課題を解決するための手段］中の「前記楽曲の進行に関連する表示を実行する表示手段」を「前記楽曲
進行時の拍数
ｄ．発明の詳細な説明欄の［作用］中の「また、これと同時に表示手段は前記演奏情報修正手段により再設定されたテンポデータや拍子データに基づき楽曲進行時の拍数や楽曲進行時の小節数を表示することから、該拍数や小節数の表示は、完全に再生された楽曲のテンポや拍子とタイミング的に合致する。」を「また、これと同時に表示手段は前記演奏制御情報修正手段により再設定されたテンポデータや拍子データに基づき楽曲進行時の
拍数
拍数
ｅ．発明の詳細な説明欄の［発明の効果］中の「以上説明したように本発明は、楽曲の演奏情報を外部から入力して記憶させる際に、該楽曲の演奏情報のみならず自動演奏の演奏制御情報をその読み出されたタイミングにて順次記憶するようにし、再生を行う際には、前記演奏情報と演奏制御情報に基づいて楽音を発生させるとともに、前記演奏制御情報に基づいて楽曲の進行に関連する表示実行するようにした。よって、前記外部から入力した演奏情報を再生しつつ、前記表示を行う場合において、前記演奏制御情報により前楽音の発生と楽曲の進行に関連する表示とを、完全にタイミング的に合致させことができる。その結果、前記表示により再生されている楽曲に進行に関連する情報を正確に把握して、記憶させた自己の演奏の良否を判断することができ、これにより効果的な演奏練習が可能となる。
　また、前記演奏制御情報を、楽曲のテンポを決定するテンポデータ及び拍子を決定する拍子データとしたことから、再生される楽曲と表示手段の表示作動とをテンポと拍子の双方に関して合致させることが可能となるとともに、また、再生された楽曲と同期して拍数の表示や小節数の表示がなされることにより、再生されているマニュアル演奏の現在の小節数や拍数を正確に認識することが可能となる。よって、マニュアル演奏の誤りがあった場合においては、表示された小節数や拍数から演奏の誤りがあった箇所を明瞭に特定することができ、これにより、一層練習効果を高めることが可能となる。」を「以上説明したように本発明は、楽曲の演奏情報を外部から入力して記憶させる際に、
該楽曲の演奏情報のみならず自動演奏の拍子データ及び前記楽曲のテンポを決定するテンポデータからなる演奏制御情報をその読み出されたタイミングにて順次記憶するようにし、再生を行う際には、前記演奏情報とテンポデータに基づいて楽音を発生させるとともに、前記演奏制御情報に基づいて楽曲進行時の拍数を表示実行するようにした。よって、前記外部から入力した演奏情報を再生しつつ、前記表示を行う場合において、前記演奏制御情報により前記楽音の発生と楽曲進行時の拍数表示とを、完全にタイミング的に合致させることができる。その結果、前記表示により再生されている楽曲進行時の拍数表示を正確に把握して、記憶させた自己の演奏の良否を判断することができ、これにより効果的な演奏練習が可能となる。
イ、訂正の目的の適否、新規事項の有無及び拡張・変更の存否
　上記訂正事項ａは、特許明細書の特許請求の範囲の請求項１において、限定事項を付加するものであるから、特許請求の範囲の減縮に該当する。また、上記訂正事項ｂ〜ｅは、上記特許請求の範囲の訂正に伴い、これと整合を図るためのものであり、明りょうでない記載の釈明に該当する。そして、上記訂正事項ａ〜ｅは、特許明細書の発明の詳細な説明欄の［実施例］、［発明の効果］及び第５図等に記載されている事項の範囲内のものであるから、上記訂正事項は、いずれも新規事項の追加に該当せず、また実質上特許請求の範囲を拡張し、又は変更するものでもない。
ウ．独立特許要件の判断
《引用例》
　訂正明細書の請求項１に係る発明（以下、「本件発明」という。）に対して、当審が通知した取消理由で引用した、本願の出願日前の出願であって、その出願後に公開された特願平２−１９４５９０号（特開平４−８０７９５号公報参照）の願書に最初に添付した明細書及び図面（以下、「先願明細書」という。）には、「自動演奏装置」（発明の名称）に関し、図面と共に次のとおりの記載がある。
１．「この発明は、自動演奏を進行させつつテンポ変更操作に応じたテンポ制御情報をリアルタイムでメモリに書込むことにより初心等でも簡単に所望のテンポ変更パターンをプログラム可能としたものである。」（公報第２頁右上欄第２行〜第６行）
２．「鍵盤回路１２は、パネル２８に設けられた鍵盤ＫＢの各キー操作情報を検出するようになっている。　　・・・（中略）・・・
　この発明の実施に関係する操作子及び表示器としては、テンポ値設定用のテンポボリュームＴＶＬ、テンポアップ／ダウン用のフットコントローラＦＴＣ、スタート／ストップスイッチＳＳＷ、モード指定スイッチＴＰＳ、ＴＲＳ、ＫＰＳ、ＫＲＳ、テンポ表示器ＴＤＰ、モード表示器ＬＥＤ等が設けられている。」（公報第３頁左下欄第３行〜第１８行）
３．「演奏データメモリ２２（第２図乃至第４図）
　第２図（Ａ）〜（Ｈ）は、演奏データメモリ２２に記憶される各種データのフォーマットを示すもので、（Ａ）はキーオンデー夕、（Ｂ）はキーオフデー夕、（Ｃ）はテンポアップデータ、（Ｄ）はテンポダウンデータ、（Ｅ）は小節線データ、（Ｆ）はエンドコードデータ、（Ｇ）はテンポ設定データ、（Ｈ）はタイミングデータの各フォーマットを示す。」（公報第４頁右上欄第１６行〜同頁左下欄第３行）
４．「第３図は、メモリ２２内の記憶部配置を示すもので、第１及び第２の記憶部Ｍ１及びＭ２が設けられている。記憶部Ｍ１及びＭ２は、例えばメモリ２２の記憶部全体を２分割して得られる２つの分割記憶部によって構成されるもので、・・・（中略）・・・第４図は、記憶部Ｍ１（又はＭ２）へのデータ書込みの一例を示すものである。」（公報第４頁右下欄第１８行〜第５頁右上欄第１１行）
５．「Ｎｏ．２〜４のモードでは、Ｎｏ．１のモードと同様にＴＭＤの値は０であるが、ＫＭＤの値は１〜３である。ＫＭＤ＝１（Ｎｏ．２）の場合、キー演奏に関して再生指定であり、Ｍ１−Ｍ２間ではテンポ制御データ（テンポ設定データ、テンポアップ／ダウンデータ）ＴＤ及びキー演奏データ（キーオン／キーオフ）ＫＤの転送が行なわれ、記録したキー演奏データＫＤに基づいて楽音発生制御（自動演奏）が行なわれる。
　また、ＫＭＤ＝２（Ｎｏ．３）の場合は、キー演奏に関して記録指定であり、転送される記憶データはテンポ制御データＴＤだけとなり、記憶データに基づく制御は行なわれない。この場合、メモリ２２において転送データＴＤが書込まれる書込用記憶部には、鍵盤ＫＢの操作に応じてキー演奏データを書込可能である。
・・・（中略）・・・
　Ｎｏ．６〜８のモードは、記録したテンポ制御データＴＤに基づいてテンポ制御が行なわれる点を除き前述のＮｏ．２〜３のモードとそれぞれ同様である。」（公報第７頁右上欄第１０行〜同頁右下欄第７行）
６．「
テンポ制御サブルーチン（第１２図）
　第１２図は、テンポ制御のサブルーチンを示すもので、ステップ１７０では、ＴＭＰＲの第４ビットが１か・・・（中略）・・・
クロック割込みルーチン（第１３図）
　第１３図は、クロック割込みルーチンを示すもので、このルーチンは、クロック発生器２４からのテンポクロック信号ＴＣＬの各クロックパルス毎にスタートする。
　ステップ１９０では、フラグＲＵＮの値が１か（走行中か）判定する。この判定結果が否定的（Ｎ）であれば第８図のルーチンにリターンし、ステップ１９２以下の処理は行なわない。・・・（中略）・・・記録動作及び自動リズム演奏を停止させるには、スイッチＳＳＷを操作してＲＵＮを０とすればよい。」（公報第１１頁右下欄第１０行〜第１３頁右下欄第１１行）
７．「
キー再生のサブルーチン（第１５図）
　第１５図は、キー再生のサブルーチンを示すもので、ステップ２４０では、ＫＭＤの値が２か（キー演奏に関して記録のみ指定か）判定する。・・・（中略）・・・
テンポ変化再生のサブルーチン（第１６図）
　第１６図は、テンポ変化再生のサブルーチンを示すもので、ステップ２６０では、ＴＭＤの値が２か（テンポ制御に関して記録のみ指定か）判定する。・・・（中略）・・・そして、ステップ２７０に移り、第１２図で述べたようにテンポ制御のサブルーチンを実行する。この結果、テンポクロック信号ＴＣＬの周波数、ひいては演奏再生や自動リズム演奏のテンポは、ＭＥＭ（ＰＴＰ）から読出した相対テンポ値に応じて変更制御され、表示器ＴＤＰには変更後のテンポ値が表示される。
　ステップ２７０の後は、ステップ２７２を経てｄさい１３図のルーチンにリターンする。」（公報第１４頁左上欄第１５行〜第１５頁左上欄第５行）
《対比・判断》
　先願明細書には、自動演奏を進行させつつテンポ変更操作に応じたテンポ制御情報をリアルタイムでメモリに書込むことにより初心者等でも簡単に所望のテンポ変更パターンをプログラム可能とすることが記載されており（引用例の上記１．の記載参照）、また演奏情報であるキーオン・オフデータ、テンポデータ等が記憶された演奏データメモリ、楽曲の演奏情報を入力する鍵盤、外部よりテンポを設定するテンポボリュームを備え、録音モードと再生モードを指定するモード指定スイッチにより録音モードが指定されたときは、メモリ内の書込み用記憶部に鍵盤からの演奏データとテンポデータが記憶され、また、モード指定スイッチにより再生モードが指定されると、記憶されたテンポデータと演奏データが読み出され、該データに基づく楽音の生成がなされること、さらに第１２図に示すテンポ制御ルーチンにおいては、ステップ１８０にて修正されたテンポ値を表示器ＴＰＤに表示することが示されている（引用例の上記２．〜７．の記載参照）。
　しかしながら、先願明細書には、本件発明のように、外部より入力された演奏データを、楽曲の拍子データ及び前記楽曲のテンポを決定するテンポデータからなる演奏制御情報を変更する変更情報と共に記憶するようになされ、この演奏データの再生に同期して楽曲進行時の拍数を表示させ、楽曲進行時の拍数表示を正確に把握して、記憶させた自己の演奏の良否を判断することについては何も記載がない。すなわち、本件発明の構成要件の一部である「
前記楽曲の拍子データ及び前記楽曲のテンポを決定するテンポデータからなる
進行時の拍数
　そして、本件発明は、上記構成要件の採用によって、「楽曲の演奏情報を外部から入力して記憶させる際に、
該楽曲の演奏情報のみならず自動演奏の拍子データ及び前記楽曲のテンポを決定するテンポデータからなる演奏制御情報をその読み出されたタイミングにて順次記憶するようにし、再生を行う際には、前記演奏情報とテンポデータに基づいて楽音を発生させるとともに、前記演奏制御情報に基づいて楽曲進行時の拍数を表示実行するようにした。よって、前記外部から入力した演奏情報を再生しつつ、前記表示を行う場合において、前記演奏制御情報により前記楽音の発生と楽曲進行時の拍数表示とを、完全にタイミング的に合致させることができる。その結果、前記表示により再生されている楽曲進行時の拍数表示を正確に把握して、記憶させた自己の演奏の良否を判断することができ、これにより効果的な演奏練習が可能となる。
　よって、本件発明と上記先願明細書に記載の発明とが同一であるとはいえず、本件発明の特許は、特許法第２９条の２の規定に違反してされたものではない。
　したがって、本件発明は、特許出願の際独立して特許を受けることができるものである。
エ．むすび
　以上のとおりであるから、上記訂正は、特許法第１２０条の４第２項及び同条第３項で準用する第１２６条第２−４項の規定に適合するので、当該訂正を認める。
III【特許異議の申立てについての判断】
ア．申立ての理由の概要
　異議申立人廣田修一は、甲第１号証：特願平２−１９４５９０号（特開平４−８０７９５号公報）、甲第２号証：実願昭平１−８４６８（実開平２−１００２９７号公報）のマイクロフィルムを提出し、訂正前の請求項１〜３に係る発明は、甲第１号証の特願平２−１９４５９０号（特開平４−８０７９５号公報参照）に記載の発明と同一であり、特許法第２９条の２に規定する発明に該当し、したがって訂正前の請求項１〜３に係る発明の特許は特許法第１１３条第２項に該当するので取り消されるべきであり取り消されるべき旨主張している。
イ．判断
　本件発明は、訂正前の請求項２、３が付加され限定されたものであるが、電子楽器において、楽曲進行時の拍数を表示する技術が甲第２号証に示されていることを勘案しても、本件発明は、上記II．ウと同様な理由により、取消理由通知で示した先願明細書（上記甲１第号証）に記載された発明と同一とはいえない。
ウ．以上のとおりであるから、特許異議申立ての理由及び証拠によっては、本件発明の特許を取り消すことはできない。
　また、他に本件発明に係る特許を取り消すべき理由を発見しない。
　よって、結論のとおり決定する。
【異議決定日】
平成１２年５月３１日（２０００．５．３１）
【訂正の要旨】
ア．訂正の内容
　特許権者が求めている訂正の内容は、以下のａ〜ｄのとおりである。
ａ．特許明細書の特許請求の範囲の請求項２及び３に記載の限定を請求項１に付加するとともに、請求項２及び３を削除し、請求項１の記載を次のとおりに訂正する。「（１）楽曲を構成する演奏情報
、前記楽曲の拍子データ及び前記楽曲のテンポを決定するテンポデータからなる
　外部より楽曲の演奏情報を入力する入力手段と、
　外部より楽曲の進行に関連する演奏制御情報を設定する演奏制御情報設定手段と、
　録音モードと再生モードのいずれか一方のモードを指定するモード指定手段と、
　該モード指定手段により録音モードが指定された際に、前記第１の記憶手段に記憶された演奏情報及び変更情報を、前記演奏制御情報設定手段により設定された演奏制御情報に基づくタイミングで読み出す第１の読み出し手段と、
　該モード指定手段により録音モードが指定された際に、前記入力手段により入力された演奏情報を入力順に記憶するとともに、前記第１の読み出し手段により読み出された変更情報をその読み出されたタイミングにて順次記憶する第２の記憶手段と、
　該モード指定手段により再生モードが指定された際に、前記第２の記憶手段に記憶された情報を、前記演奏制御情報設定手段により設定された演奏制御情報に基づくタイミングで順次読み出す第２の読み出し手段と、
　該第２の読み出し手段により、前記第２の記憶手段から変更情報が読み出されたとき、当該読み出された変更情報に基づいて前記演奏制御情報設定手段により設定された演奏制御情報を修正する演奏情報修正手段と、
　該演奏制御情報設定手段により設定された演奏制御情報及び演奏情報修正手段にて修正された演奏制御情報に基づいて、前記楽曲
進行時の拍数
　少なくとも前記第２の読み出し手段により前記第２の記憶手段から読み出された演奏情報に基づいて楽音を発生する楽音発生手段と、
を備えたことを特徴とする電子楽器。」
ｂ．発明の詳細な説明の欄の［課題を解決するための手段］中の「楽曲を構成する演奏情報及び前記楽曲の進行に関連する演奏制御情報を変更する変更情報が予め記憶された第１の記憶手段」を「楽曲を構成する演奏情報
、前記楽曲の拍子データ及び前記楽曲のテンポを決定するテンポデータからなる
ｃ．発明の詳細な説明欄の［課題を解決するための手段］中の「前記楽曲の進行に関連する表示を実行する表示手段」を「前記楽曲
進行時の拍数
ｄ．発明の詳細な説明欄の［作用］中の「また、これと同時に表示手段は前記演奏情報修正手段により再設定されたテンポデータや拍子データに基づき楽曲進行時の拍数や楽曲進行時の小節数を表示することから、該拍数や小節数の表示は、完全に再生された楽曲のテンポや拍子とタイミング的に合致する。」を「また、これと同時に表示手段は前記演奏制御情報修正手段により再設定されたテンポデータや拍子データに基づき楽曲進行時の担数を表示することから、該拍数の表示は、完全に再生された楽曲のテンポや拍子とタイミング的に合致する。」と訂正する。
ｅ．発明の詳細な説明欄の［発明の効果］中の「以上説明したように本発明は、楽曲の演奏情報を外部から入力して記憶させる際に、該楽曲の演奏情報のみならず自動演奏の演奏制御情報をその読み出されたタイミングにて順次記憶するようにし、再生を行う際には、前記演奏情報と演奏制御情報に基づいて楽音を発生させるとともに、前記演奏制御情報に基づいて楽曲の進行に関連する表示実行するようにした。よって、前記外部から入力した演奏情報を再生しつつ、前記表示を行う場合において、前記演奏制御情報により前楽音の発生と楽曲の進行に関連する表示とを、完全にタイミング的に合致させことができる。その結果、前記表示により再生されている楽曲に進行に関連する情報を正確に把握して、記憶させた自己の演奏の良否を判断することができ、これにより効果的な演奏練習が可能となる。
　また、前記演奏制御情報を、楽曲のテンポを決定するテンポデタ及び拍子を決定する拍子データとしたことから、再生される楽曲と表示手段の表示作動とをテンポと拍子の双方に関して合致させることが可能となるとともに、また、再生された楽曲と同期して拍数の表示や小節数の表示がなされることにより、再生されているマニュアル演奏の現在の小節数や拍数を正確に認識することが可能となる。よって、マニュアル演奏の誤りがあった場合においては、表示された小節数や拍数から演奏の誤りがあった箇所を明瞭に特定することができ、これにより、一層練習効果を高めることが可能となる。」を「以上説明したように本発明は、楽曲の演奏情報を外部から入力して記憶させる際に、
該楽曲の演奏情報のみならず自動演奏の拍子データ及び前記楽曲のテンポを決定するテンポデータからなる演奏御情報をその読み出されたタイミングにて順次記憶するようにし、再生を行なう際には前記演奏情報とテンポデータに基づいて楽音を発生させるとともに、前記演奏制御情報に基づいて楽曲進行時の拍数を表示発行するようにした。よって前記外部から入力した演奏情報を再生しつつ、前記表示を行なう場合において、前記演奏御情報により前記楽音の発生と楽曲進行時の拍数表示とを完全にタイミング的に合致させることができる。その結果、前記表示により再生されている楽曲進行時の拍数表示を正確に把握して、記憶させた自己の演奏の良否を判断することができ、これにより効果的な演奏練習が可能となる。
（５４）【発明の名称】
電子楽器
（５７）【特許請求の範囲】
（１）楽曲を構成する演奏情報
、前記楽曲の拍子データ及び前記楽曲のテンポを決定するテンポデータからなる
　外部より楽曲の演奏情報を入力する入力手段と、
　外部より楽曲の進行に関連する演奏制御情報を設定する演奏制御情報設定手段と、
　録音モードと再生モードのいずれか一方のモードを指定するモード指定手段と、
　該モード指定手段により録音モードが指定された際に、前記第１の記憶手段に記憶された演奏情報及び変更情報を、前記演奏制御情報設定手段により設定された演奏制御情報に基づくタイミングで読み出す第１の読み出し手段と、
　該モード指定手段により録音モードが指定された際に、前記入力手段により入力された演奏情報を入力順に記憶するとともに、前記第１の読み出し手段により読み出された変更情報をその読み出されたタイミングにて順次記憶する第２の記憶手段と、
　該モード指定手段により再生モードが指定された際に、前記第２の記憶手段に記憶された情報を、前記演奏制御情報設定手段により設定された演奏制御情報に基づくタイミングで順次読み出す第２の読み出し手段と、
　該第２の読み出し手段により、前記第２の記憶手段から変更情報が読み出されたとき、当該読み出された変更情報に基づいて前記演奏制御情報設定手段により設定された演奏制御情報を修正する演奏情報修正手段と、
　該演奏制御情報設定手段により設定された演奏制御情報及び演奏情報修正手段にて修正された演奏制御情報に基づいて、前記楽曲
進行時の拍数
　少なくとも前記第２の読み出し手段により前記第２の記憶手段から読み出された演奏情報に基づいて楽音を発生する楽音発生手段と、を備えたことを特徴とする電子楽器。
【発明の詳細な説明】
　［産業上の利用分野］
　本発明は、自動演奏される楽曲の小節数や１小節内における拍数を表示する機能を備えた電子楽器に関する。
　［従来の技術］
　従来の電子楽器においては、自動演奏モード、ＲＥＣモード、再生モード等の各種多様な機能モードが設けられているとともに、テンポ設定キー等の機能キーが設けられている。前記自動演奏モードにあっては、予め記憶された曲を構成する各音符の音階データと音長データとを含む演奏情報が順次読み出されると、前記音階データにより音高が決定されるとともに、前記音長データにより音長が決定され、この音高と音長とにより楽曲のメロディ等が自動演奏される。このとき、前記音長データは、全音符、２分音符、４分音符等の音符長をもって記憶されており、該音符長により示される時間的長さをもって対応する音高の楽音が放音される。
　また、前記演奏情報と共に楽曲の進行に関連する演奏制御情報、つまりテンポや拍子を決定するテンポデータや拍子データも予め記憶されており、楽曲を演奏している途中で従前のテンポデータとは異なるテンポデータが読み出されると、その時点から自動演奏のテンポが、読み出されたテンポデータに基づくテンポに再設定される。前記テンポデータは、例えば“１”“０．５”“１．５”のように１を基準とした数値をもって記憶されており、この基準となる“１”の値は、前記テンポ設定キーによって予め設定された値である。
　つまり、演奏者が自動演奏を開始する前に、前記テンポ設定キーを操
　また、前記拍子データが読み出された場合も同様であり、例えば４拍子での自動演奏中において、３拍子を示す拍子データが読み出されると、４拍子であった自動演奏は３拍子に切り替わり、該３拍子にて自動演奏が継続する。
　一方、前記ＲＥＣモードにあっては、演奏者が行ったマニュアル演奏を記憶するモードであり、このＲＥＣモードが設定されていると、前記マニュアル演奏を行った際の演奏情報が順次記憶手段に記憶される。また、このＲＥＣモード時には、自動演奏モードが同時設定されて、自動演奏が実行され、この自動演奏を伴って行った演奏者のマニュアル演奏のみが記憶される。そして、自動演奏及びマニュアル演奏を終了した後、前記再生モードを設定すると、前記記憶手段に記憶されたマニュアル演奏の演奏情報が順次読み出され、先に行ったマニュアル演奏が再生され、したがって、マニュアル演奏の再生を受聴することにより、演奏者は自己のマニュアル演奏の良否を客観的に認識することが可能となる。
　さらに、今日においては、電子楽器本体に拍数を示す拍表示用ＬＥＤが配置されたものが出現するに至っている。該拍表示用ＬＥＤは、例え
このとき、前記拍表示用ＬＥＤは、自動演奏の演奏制御情報により表示制御がなされるようになっており、よって、自動演奏のテンポや拍子が前述のように切り替えられると、これと同期して拍表示用ＬＥＤの点灯速度や点灯数が変化し、その結果、常に自動演奏のテンポ及び拍子が合った状態で拍表示用ＬＥＤが点灯するのである。
　［発明が解決しようとする課題］
　しかしながら、従来において前記ＲＥＣモードにて記憶されるのは、マニュアル演奏された楽音の音高や音長である演奏情報のみであることから、前記再生モードにおいて再生演奏を行った際に、前記拍表示用ＬＥＤを点灯させると、該拍表示用ＬＥＤは予めテンポ設定キーにより設定されたテンポをもって順次点灯する。したがって、前述のように演奏者がＲＥＣモードを設定して、自動演奏を伴ってマニュアル演奏を行い、該マニュアル演奏を記憶させた場合、該マニュアル演奏が自動演奏のテンポや拍子の変化に対応して変化しつつ進行するにも拘わらず、このマニュアル演奏の再生時に点滅する拍表示用ＬＥＤは、前記テンポ及び拍子の変化とは無関係に一定のテンポ及び拍子をもって点灯作動する。
　その結果、必然的にマニュアル演奏を再生した際の楽曲のテンポと拍表示用ＬＥＤの点灯動作とが不一致となり、演奏を終了後、マニュアル演奏の再生を受聴しつつ、拍表示用ＬＥＤの点灯作動を目視し、自己のマニュアル演奏が、テンポ及び拍子に関して適正であったか否かを判断しようとしても、これが不可能となって、効果的な演奏練習を行うことができない不都合があった。
　本発明は、このような従来の課題に鑑みてなされたものであり、マニュアル演奏を再生する際に、そのテンポや拍子に同期して表示を行うことを可能にした、電子楽器を提供することを目的とするものである。
　［課題を解決するための手段］
　前記課題を解決するために本発明にあっては、楽曲を構成する演奏情報
、前記楽曲の拍子データ及び前記楽曲のテンポを決定するテンポデータからなる
進行時の拍数
　［作用］
　前記構成において、第１の記憶手段から第１の読み出し手段により順次演奏情報が読み出され、この第１の読み出し手段により読み出された演奏情報に基づいて、楽音発生手段が楽音を発生することにより自動演奏が行われ、このとき、前記第１の読み出し手段は、前記演奏情報のみならず演奏制御情報、つまりテンポデータや拍子データをも読み出す。そして、前記演奏制御情報が第１の記憶手段から読み出されると、演奏制御情報設定手段により外部から入力設定されている演奏制御情報は、演奏制御情報修正手段によって、前記第１の記憶手段から読み出された演奏制御情報により修正して再設定される。したがって、自動演奏はこの再設定された演奏制御情報により楽曲の進行を制御されつつ実行される。
　一方、このように自動演奏を行っている状態において、マニュアル演奏により楽曲の演奏情報を外部から入力すると、この入力された演奏情報が順次第２の記憶手段により記憶される。また、該第２の記憶手段は、単に入力されたマニュアル演奏の演奏情報を記憶するに止まらず、前記第１の記憶手段から読み出された出された演奏制御情報としてのテンポデータや拍子データを、その読み出されたタイミングで順次記憶する。したがって、前記自動演奏を行いつつ、マニュアル演奏を行って演奏情報を外部から入力すると、第２の記憶手段には、マニュアル演奏の演奏情報とともに、前記第１の記憶手段に記憶されていたテンポデータや拍子データがそのまま記憶される。
　このため、前記第２の記憶手段に記憶された演奏情報及び演奏制御情報を第２の読み出し手段により読み出して楽音を発生させた場合、つまりマニュアル演奏を再生した場合、この再生された楽曲のテンポや拍子は、演奏制御情報設定手段により設定されたテンポや拍子を演奏制御情報修正手段により前記第１の記憶手段に記憶されていたテンポデータや拍子データにより修正されて再設定されたものになる。また、これと同時に表示手段は前記演奏制御情報修正手段により再設定されたテンポデータや拍子データに基づき楽曲進行時の
拍数
拍数
　［実施例］
　以下、本発明の一実施例について図面に従って説明する。すなわち第１図は、本実施例の全体的な回路構成を示すものであり、ＣＰＵ１０には鍵盤１１及び各種設定制御装置１２が接続されており、該各種設定制御装置１２には、さらに情報表示装置１３が接続されている。前記鍵盤１１には、第２図に示したように、複数の演奏操作子１４が設けられており、該演奏操作子１４の操作により前記ＣＰＵ１０には外部から演奏情報が入力される。
　前記各種設定制御装置１２には、楽器本体１５に配設されたパワースイッチ１６、スタートスイッチ１７、ストップスイッチ１８、ＲＥＣスイッチ１９、ＰＬＡＹスイッチ２０が設けられているとともに、テンポを設定するためのテンポ設定キー２１や図示しないボリュームスイッチ等の当該電子楽器を演奏するに必要な各種スイッチが設けられている。
　また、前記情報表示装置１３には、前記楽器本体１５に配設された小節表示部２２と、ＮＯ．１〜４までの拍数表示用ＬＥＤ２３が設けられている。該拍表示用ＬＥＤ２３は、第３図に示したように、２拍子の場合にはＮＯ．１→２の順で点灯する動作を繰り返し、３拍子の場合にはＮＯ．１→２→３の順で点灯する動作を繰り返すとともに、４拍子の場合にはＮＯ．１→２→３→４の順で点灯する動作が繰り返し、６拍子の場合には１→２→３→４→３→４の順で点灯する動作を繰り返すように前記各種設定制御装置１２を介してＣＰＵ１０により制御される。
　また、ＣＰＵ１０に接続された自動演奏装置２４には、ＲＯＭ２５が設けれており、該ＲＯＭ２５には第４図に示したフォーマットにしたがって、アドレスＡＤＤ２毎にテンポα、テンポβ・・・等のテンポデータと拍子γ等の拍子データが楽音制御情報として記憶されているとともに、音階Ａ等の音階データ、音長Ａ，Ｂ等の音長データ、及び消音データＯＦＦ等が楽音情報として予め記憶されている。
　一方、前記ＣＰＵ１０に接続された演奏情報記憶再生装置２６には、ＲＡＭ２７が設けられており、該ＲＡＭ２７には第４図に示したように、前記ＲＯＭ２５と同様のフォーマットからなる記憶領域がアドレスＡＤＤ１毎に設けられている。
　前記鍵盤１０、自動演奏装置２４及び演奏情報記憶再生装置２６から出力された演奏情報及び演奏制御情報はＣＰＵ１０に与えられ、該ＣＰＵ１０は前記演奏情報及び演奏制御情報に基づき、楽音発生装置２８に楽音信号の生成を指示する。そして、該楽音発生装置２８によって生成された楽音信号は、アンプ２９ににより増幅され、スピーカ３０を介して放音される。
　次に、以上の構成にかかる本実施例の動作を第５図に示した一連のフローチャートに従って説明する。すなわち、このフローチャートは前記パワースイッチ１６をオンにすることにより実行が開始され、先ずイニシャライズ処理（ステップ１０１）によって、後述するアドレスカウンタＡＤＤ１，ＡＤＤ２、休止カウンタ、拍子カウンタ、音源レジスタＡ，Ｂ、音長カウンタＡ，Ｂ、及び小節カウンタをリセットする。引き続き、ＲＥＣスイッチ１９が押されてＲＥＣモードが設定されているか、ＰＬＡＹスイッチ２０が押されてＰＬＡＹモードが設定されているかの判別であるモード判別を実行する（ステップ１０２）。このモード判別の判別結果において、ＲＥＣモードが設定されている場合には、ステップ１０３に進んで前記スタートスイッチ１７がオン操作されたか否かを判別する（ステップ１０３）。
　該スタートスイッチ１７がオン操作されるまで、１０２→１０３のループを繰り返して待機状態を維持し、ステップ１０３の判別がＹＥＳとなった時点で前記各種設定制御装置１２に設定された制御情報を設定するとともに、前記アドレスカウンタＡＤＤ１，ＡＤＤ２に“０”をセットする（ステップ１０４）。つまり、テンキーからなる前記テンポ設定キー２１を、例えば“１”“２”“０”と操作し、次にスタートスイッチ１７をオン操作した場合には、外部からの演奏制御情報としてテンポデ
ＤＤ２が“０”にセットされるのである。
　次に、前記アドレスカウンタＡＤＤ１のカウント値をアドレスとして、前記テンポデータをＲＡＭ２７にストアし（ステップ１０５）、さらにアドレスカウンタＡＤＤ１をインクリメントした後（ステップ１０６）、休止カウンタをスタートさせ（ステップ１０７）、アドレスカウンタＡＤＤ２のカウント値をアドレスとして、ＲＯＭ２５よりデータを読み出す（ステップ１０８）。該ＲＯＭ２５には、前述したように演奏情報と演奏制御情報とが記憶されており、よって、次のステップ１０９では先ずこの読み出したデータが、演奏情報であるか演奏制御情報であるかを判別する。
　この判別において、前記データが演奏情報であった場合には、第５図（ロ）に示したステップ１１０に進み、前記データが演奏情報のうち音階データ、音長データ及び消音データＯＦＦのいずれであるかを判別する。この判別において、読み出されたデータが音階データであった場合には、音階データを音源レジスタＢへ供給し（ステップ１１１）、ＣＰＵ１０は、この音源レジスタＢに供給された音階データに対応する音高からなる楽音信号の生成を前記楽音発生装置２８に指示し、該楽音発生装置２８から出力された楽音信号により、前記スピーカ３０から発音がなされる。
　一方、前記ステップ１１０の判別が音長データであった場合には、音長カウンタＡをスタートさせ（ステップ１１２）、さらに該音長カウンタＡの値が１拍となったか否かを判別する（ステップ１１３）。すなわち、この音長カウンタＡは、クロックパルスをカウントすることにより、音長を計測するカウンタであって、そのカウント値がこのときに設定されているテンポにおいて、１拍の時間に相当する値となったとき、ステップ１１３の判別はＹＥＳとなる。そして、このステップ１１３の判別がＹＥＳとなり、１拍に相当する時間が経過して時点で、拍数をカウントする拍子カウンタをインクリメントした後（ステップ１１４）、音長カウンタの値が第４図に示した音長Ａ、音長Ｂ等として例示した音長データの音長値にとなったか否かを判別する（ステップ１１５）。他方、前記ステップ１１０において、現在読み出されているデータが消音データＯＦＦであった場合には、消音データＯＦＦを音源レジスタＡへ供給し（ステップ１２１）、ＣＰＵ１０はこの音源レジスタＡに供給された消音データＯＦＦにより前記楽音発生装置２８に消音を指示し、これにより、前記スピーカ３０から発音の放音は停止される。
　そして、このステップ１２１、前記ステップ１１１及びステップ１１５の判別がＹＥＳであった場合に続くステップ１１６においては、ＲＯＭ２５のアドレスをカウントするためのアドレスカウンタＡＤＤ２をインクリメントする。次に１小節内における拍子をカウントする拍子カウンタの拍子カウント値が１小節となったか否かを判別し、つまりこの時点で３拍子が設定されていれば、前記拍子カウント値が３拍子における１小節の拍数である“３”となったか否かを判別し、また、４拍子が設定されていれば、前記拍子カウント値が４拍子における１小節の拍数である“４”となったか否かを判別する（ステップ１１７）。
　この判別がＮＯであって、１小節の拍数となっていなければ、ステップ１１８，１１９の処理を実行することなく直接ステップ１２０に進み、前記判別がＹＥＳであって、１小節の拍数に到達していれば、小節数をカウントするための小節カウンタの値をインクリメントし（ステップ１１８）、さらに、前記拍子カウンタをクリアした後（ステップ１１９）、ステップ１２０に進む。該ステップ１２０においては、前記小節カウンタ及び拍子カウンタの値に基づいて、前記情報表示装置１３を駆動し、表示を行う。これにより、第２図に例示したように、前記小節表示部２２には前記小節カウンタの値が数値をもって表示されるとともに、ＮＯ．１〜４の拍表示用ＬＥＤ２３のうち、前記拍子カウンタの値に対応するＬＥＤが点灯する。因みに、第２図に示した小節表示部２２の数値と拍表示用ＬＥＤ２３の表示状態は、現時点が第２４小節目の第３拍目であることを示している。そして、このステップ１２０の表示処理を行った後、第５図（イ）の▲５▼からステップ１０８に戻り、該ステップ１０８からの処理を繰り返す。
　また、前記ステップ１１５の判別がＮＯであって、音長カウンタの値が音長データの音長値に到達していない場合には、▲４▼から第５図（ハ）のステップ１２５に進み、前記演奏操作子１４の操作状態に変化があったか否かを判別する。この判別において、ＯＦＦ→ＯＮへの変化である場合、つまり演奏操作子１４が未操作状態から操作したときには、先ず音長カウンタＢをスタートさせる（ステップ１２６）。次に、前述したステップ１０７及び後述するステップ１３３でスタートさせた休止カウンタの値と、前記テンポデータ、拍子データとにより休符長を決定し、該休符長を前記アドレスカウンタＡＤＤ１のカウント値をアドレスとしてＲＡＭ２７にストアするとともに、前記休止カウンタを停止させる（ステップ１２７）。引き続き、アドレスカウンタＡＤＤ１をインクリメントし（ステップ１２８）、該アドレスカウンタＡＤＤ１のカウント値をアドレスにして前記音階データをＲＡＭ２７にストアする（ステップ１２９）。つまり、演奏操作子１７が操作されれば、その時点で休止状態ではなくなることから、休止時間を計測していた休止カウンタを停止させ、また、操作された演奏操作子１７により演奏された楽音の音階が決定されることから、この楽音の音階を示す音階データをＲＡＭ２７に記憶するのである。
　さらに、アドレスカウンタＡＤＤ１をインクリメントし（ステップ１３０）、音階データを音源レジスタＢへ供給する（ステップ１３１）。これにより、前記ステップ１１１で述べたように、スピーカから音階データによって決定される音高の楽音が放音される。したがって、前述したステップ１１１とこのステップ１３１から理解されるように、ＲＥＣモードが設定されている状態においては、ＲＯＭ２５に記憶されている情報により発音がなされて自動演奏が実行されるのみならず、演奏操作子１４の操作であるマニュアル演奏に応じても発音がなされる。
　また、前記ステップ１２５の判別がＯＮ→ＯＦＦであって、演奏操作子１４から手指を離したときには、この時点で休止が開始されることから、先ず休止カウンタをスタートさせる（ステップ１３３）。次に、前記ステップ１２６でスタートさせた音長カウンタＢの値と、前記テンポデータ、拍子データとにより音符長を決定し、該音符長を前記アドレスカウンタＡＤＤ１のカウント値をアドレスとしてＲＡＭ２７にストアするとともに、前記音長カウンタＢを停止させる（ステップ１３４）。引き続き、アドレスカウンタＡＤＤ１をインクリメントし（ステップ１３５）、該アドレスカウンタＡＤＤ１のカウント値をアドレスにして、ＯＦＦデータをＲＡＭ２７にストアする（ステップ１３６）。さらに、アドレスカウンタＡＤＤ１をインクリメントし（ステップ１３７）、消音データを音源レジスタＡへ供給する（ステップ１３８）。よって、前記ステップ１３１の処理によってスピーカ３０から放音されていた前記マニュアル演奏による楽音は、ステップ１３８の処理により停止する。
　そして、ステップ１２５の判別が変化なしであった場合、及びステップ１３１とステップ１３８に続くステップ１３２においては、前記ストップスイッチ１８がオンに操作されたか否かを判別し、この判別がＮＯであって、ＲＥＣモードが設定されている状態が続いていれば、第５図（ロ）に▲９▼で示したように、ステップ１１３からの判別処理を繰り返す。したがって、前述したステップ１１３からステップ１３２までの判別処理が実行されることにより、第４図に示したようにＲＡＭ２７には、休止、音階Ａ′、音長Ａ′、ＯＦＦ等の、演奏者が演奏操作子１４を操作することにより入力されたからマニュアル演奏の演奏情報が順次記憶される。
　なお、ステップ１３２の判別がＹＥＳであって、ストップスイッチ１８がオン操作された場合には、第５図（イ）に▲８▼で示したようにステップ１０２に戻り、該ステップ１０２からの判別処理を繰り返す。
　一方、第５図（イ）に示したステップ１０９の判別において、ＲＯＭ２５より読み出されたデータが、第４図に示したテンポα、β、拍子γ等の演奏制御情報であった場合には、先ずこの読み出された演奏制御情報により拍子カウンタ、テンポカウンタ、小節カウンタ等の再設定を行う（ステップ１２２）。すなわち、ＲＯＭ２５に記憶されたテンポα、テンポデータ等のテンポデータは、例えば“１”“０．５”“１．５”のように１を基準とした数値をもって記憶されており、この基準となる“１”に対応する値は、前記テンポ設定キー２１によって予め設定された値である（ステップ１０４参照）。つまり、前述したように演奏者が自動演奏を開始する前に、前記テンポ設定キー２１を操作して、例えば
ータ“１”での自動演奏中において、テンポデータ“０，５”が読み出
うにテンポが切り替われば、１テンポとなるクロック数も変化することから、ステップ１２２においてテンポカウンタの１テンポのクロック数を再設定するのである。また、拍子カウンタに関しても同様であり、ＲＯＭ２５内に記憶された拍子αが、４拍子である場合、あるいは３拍子である場合等により拍子カウンタのカウント値が１小節となる値（ステップ１１７参照）が異なることから、ステップ１２２において、拍子カウンタ１小節の拍数を再設定するのである。
　そして、ステップ１２２に続くステップ１２３においては、アドレスカウンタＡＤＤ１のカウント値を、前記テンポα、βや拍子γ等の演奏制御情報をＲＡＭ２７にストアする。これにより、第４図に例示したようにＲＡＭ２７のアドレス“０”には、ＲＯＭ２５のアドレス“０”に記憶されている「テンポα」がそのまま記憶され、またＲＡＭ２７のアドレス“１０”にはＲＯＭ２５のアドレス“９”に記憶されている「テンポβ」がそのまま記憶され、さらにＲＡＭ２７のアドレス“Ｎ＋ｍ”には、ＲＯＭ２５のアドレス“Ｎ”に記憶されていた拍子γがそのまま記憶される。
　そして、次のステップ１２４では、アドレスカウンタＡＤＤ１をインクリメントし、第３図に示した▲３▼から前述したステップ１１６以降の判別処理を実行する。したがって、第５図（イ）（ロ）（ハ）に示したステップ１０３からステップ１３２までのＲＥＣモード時の判別処理が実行されれば、第４図に示したようにＲＡＭ２７には休止、音階Ａ′、音長Ａ′、ＯＦＦ等の演奏情報のみならず、テンポα、テンポβ、拍子γ等の演奏制御情報が記憶され、該演奏制御情報にあっては、前述のようにＲＯＭ２５に記憶されていたデータがそのまま、ステップ１０８で読み出されたタイミングでＲＡＭ２７に記憶されることとなるのである。
　なお、第４図に示したＲＡＭ２７に記憶されたデータにおいて、アドレス“１”に記憶されている休止データは、第５図（イ）に示したステップ１０７により、ＲＥＣモードの実行開始時においてスタートさせた休止カウンタにより計測された値であるが、この休止は後述するＰＬＡＹモード時に再生を行った際に、再生時の冒頭スタートスイッチ１７がオン操作されてから、再生が開始されるまでの余裕時間として一定時間を設定してもよい。
　一方、第５図（イ）に示したステップ１０２の判別において、前記ＰＬＡＹスイッチ２０が操作されてＰＬＡＹモードが設定されていれぱ、ステップ１０２から第５図（ニ）に示したステップ１３９に進み、前記スタートスイッチ１７が操作されているか否かを判別する。該スタートスイッチ１７がオン操作されるまで、１０２→１３９のループを繰り返して待機状態を維持し、ステップ１１３９の判別がＹＥＳとなった時点で前記テンポ設定キー２１に入力設定されたテンポデータによりテンポを設定する（ステップ１４０）。すなわち、再述するならば前記テンポ設定キー２１は、テンキーで構成されており、このテンキーを操作することより、例えば“１”“２”“０”と入力るすると、演奏制御情報とし
　次に、アドレスカウンタＡＤＤ１を“０”にセットし（ステップ１４１）、該アドレスカウンタＡＤＤ１のカウント値をアドレスとして、前記ＲＡＭ２７に記憶されている内容を読み出す（ステップ１４２）。そして、さらに次のステップ１４３では、このＲＡＭ２７から読み出した内容がテンポデータであるか演奏情報であるかを判別する。この判別において、前記内容が演奏情報であった場合には、ステップ１４４に進み、前記内容が演奏情報のうちの、前述した音階データ、音長データ及び消音データＯＦＦのいずれであるかを判別する。この判別において、読み出された前記内容が音階データであった場合には、第５図（ホ）に示したステップ１５５に進み、音階データを音源レジスタＡへ供給し、ＣＰＵ１０はこの音源レジスタＡに供給された音階データに対応する音高からなる楽音信号の生成を、前記楽音発生装置２８に指示し、該楽音発生装置２８から出力された楽音信号により、前記スピーカ３０から発音がなされる。よって、該スピーカ３０からは、前述したＲＥＣモードにおいて、演奏者がマニュアル演奏を記憶した楽音が放音される。
　また、前記ステップ１４４の判別が音長データ（この音長データとしてはＲＡＭ２７に休止として記憶された休符長データを含む。）であった場合には、音長カウンタＡに音長をセットし該音長カウンタＡをスタートさせ（ステップ１４５）、さらに該音長カウンタＡの値が１拍となったか否かを判別する（ステップ１４６）。この音長カウンタＡは、前述のようにクロックパルスをカウントすることにより、音長を計測するカウンタであって、そのカウント値がこのときに設定されていいるテンポにおいて、１拍の時間に相当する値となったとき、ステップ１４６の判別はＹＥＳとなる。そして、このステップ１４６の判別がＹＥＳとなり、１拍に相当する時間が経過して時点で、次に拍数をカウントする拍子カウンタをインクリメントした後（ステップ１４７）、音長カウンタの値が第４図に示した音長Ａ′、音長Ｂ′等として示した音長データの音長値にとなったか否かを判別する（ステップ１４８）。
　また、前記ステップ１４４において、現在読み出されているデータが消音データＯＦＦであった場合には、第５図（ヘ）に示したように消音データＯＦＦを音源レジスタＡへ供給し（ステップ１５７）、ＣＰＵ１０はこの音源レジスタＡに供給された消音データＯＦＦにより前記楽音発生装置２８に消音を指示し、これにより、前記スピーカ３０から発音の放音は停止される。
　そして、このステップ１５７、前記ステップ１５５及びステップ１４８の判別がＹＥＳとなった場合に続くステップ１４９においては、ＲＡＭ２７のアドレスをカウントするためのアドレスカウンタＡＤＤ１をインクリメントする（ステップ１４９）。次に１小節内における拍子をカウントする拍子カウンタの拍子カウント値が１小節となったか否か、つまりこの時点で３拍子が設定されていれば、前記拍子カウント値が３拍子における１小節の拍数である“３”となったか否かを判別し、また、４拍子が設定されていれば、前記拍子カウント値が４拍子における１小節の拍数である“４”となっているか否かを判別する（ステップ１５０）。
　この判別がＮＯであって、１小節の拍数となっていなければ、ステップ１５１，１５２の処理を実行するととなく直接ステップ１５３に進み、前記判別がＹＥＳであって、１小節の拍数に到達していれば、小節数をカウントするための小節カウンタの値をインクリメントし（ステップ１５１）、さらに、前記拍子カウンタをクリアした後（ステップ１５２）、ステップ１５３に進む。該ステップ１５３においては、前記小節カウンタ及び拍子カウンタの値に基づいて、前記情報表示装置１３を駆動し、表示を行う。これにより、前述したように、前記小節表示部２２には前記小節カウンタの値が数値をもって表示されるとともに、ＮＯ．１〜４の拍表示用ＬＥＤ２３のうち、前記拍子カウンタの値に対応するＬＥＤが点灯する。そして、このステップ１５３の表示処理を行った後、第５図（ニ）のステップ１４２に戻り、該ステップ１４２からの処理を繰り返す。
　また、前記ステップ１４８の判別がＮＯであって、音長カウンタの値が音長データの音長値に到達していない場合には、ステップ１５４に進み、前記ストップスイッチ１８がオンに操作されたか否かを判別し、この判別がＮＯであって、ＰＬＡＹモードが設定されている状態が続いていれば、第５図（ホ）に▲１１▼で示したように、ステップ１４６からの判別処理を繰り返す。したがって、前述したステップ１４０からステップ１５４までの判別処理が実行されることにより、前記ＲＥＣモードにおいて演奏者がＲＡＭ２７に記憶させた休止、音階Ａ′、音長Ａ′、ＯＦＦ等のマニュアル演奏の演奏情報が順次読み出され、該マニュアル演奏の再生がなされる。なお、ステップ１５４の判別がＹＥＳであって、ストップスイッチ１８がオン操作された場合には、第５図（イ）に▲８▼で示したようにステップ１０２に戻り、該ステップ１０２からの判別処理を繰り返す。
　一方、第５図（ニ）に示したステップ１４３の判別において、ＲＯＭ２５より読み出されたデータが、第４図に示したテンポα、β、等のテンポデータであった場合には、この読み出された演奏テンポデータによりテンポの再設定を行う。すなわち、第４図に示したＲＡＭ２７内に記憶されたデータにおいて、例えばアドレス“０”に記憶されたテンポαが読み出されたとし、このαの値が０．５であって、このとき予めテン
　そして、このようにテンポが再設定されれば、前述したステップ１４６においてカウント値が１拍となる周期が、前記再設定されたテンポに応じて変化し、その結果ステップ１４７で拍子カウンタがインクリメントされる周期も前記再設定されたテンポに応じて変化する。さらに、ステップ１４８で音長カウンタのカウント値が音長値となるに要する時間も、前記再設定されたテンポに応じて変化し、よってステップ１４９でアドレスカウンタＡＤＤ１がインクリメントされるタイミングも前記再設定されたテンポに応じて変化する。よって、このマニュアル演奏を再生している状態における自動演奏のテンポは、ステップ１５６で再設定されたテンポに依存した速度をもって進行する。
　また、前述のようにステップ１５６で再設定されたテンポにより、拍子カウンタがインクリメントされる周期、及び小節カウンタがインクリメントされる周期が変化すれば、ステップ１５３で小節カウントと拍子カウントの各カウント値に基づいて、拍子表示用ＬＥＤ２３にて拍数を表示した際の数値の変化、及び、小節表示部２２に小節数を表示した際の表示の変化速度も、前記再設定されたテンポに依存することとなる。
　つまり、マニュアル演奏を再生している状態における自動演奏のテンポと、拍子表示用ＬＥＤ２３及び小節表示部２２の表示変化速度とは、共にＲＡＭ２７に記憶されたテンポデータに依存して変化することから、前記小節表示部２２によって示される小節数と拍表示用ＬＥＤ２３の点灯に示される拍数とは、完全に前記自動演奏により再生されたマニュアル演奏の楽曲のテンポや拍子とタイミング的に合致する。
　よって、このＰＬＡＹモードにおいては、マニュアル演奏の再生を受聴しつつ、拍表示用ＬＥＤ２３と小節表示部２２の表示を視認することにより、自己のマニュアル演奏が、テンポ及び拍子に関して適正であったか否かを判断することができ、これにより効果的な演奏練習を行うこと可能となるのである。
　［発明の効果］
　以上説明したように本発明は、楽曲の演奏情報を外部から入力して記憶させる際に、
該楽曲の演奏情報のみならず自動演奏の拍子データ及び前記楽曲のテンポを決定するテンポデータからなる演奏制御情報をその読み出されたタイミングにて順次記憶するようにし、再生を行う際には、前記演奏情報とテンポデータに基づいて楽音を発生させるとともに、前記演奏制御情報に基づいて楽曲進行時の拍数を表示実行するようにした。よって、前記外部から入力した演奏情報を再生しつつ、前記表示を行う場合において、前記演奏制御情報により前記楽音の発生と楽曲進行時の拍数表示とを、完全にタイミング的に合致させることができる。その結果、前記表示により再生されている楽曲進行時の拍数表示を正確に把握して、記憶させた自己の演奏の良否を判断することができ、これにより効果的な演奏練習が可能となる。
【図面の簡単な説明】
　第１図は、本発明の一実施例の全体を示すブロック図、
　第２図は、同実施例の楽器本体の平面図、
　第３図（イ）〜（ニ）は、同実施例の拍表示用ＬＥＤの各拍子に対応する表示動作を示す説明図、第４図は、ＲＯＭ及びＲＡＭに記憶された演奏情報と演奏制御情報の一例を示す説明図、
　第５図（イ）〜（ヘ）は、同実施例の制御フローチャートである。
　１０・・・ＣＰＵ、１１・・・鍵盤、１２・・・各種設定制御装置、１３・・・情報表示装置、１４・・・演奏操作子、２１・・・テンポ設定キー、２２・・・小節表示部、２３・・・拍表示用ＬＥＤ、２４・・・自動演奏装置、２５・・・ＲＯＭ、２６・・・演奏情報記憶再生装置、２７・・・ＲＡＭ、２８・・・楽音発生装置。